(57)【要約】      （修正有）【課題】一方のメインサイドガイドを幅方向に移動させた際に、一対の延長サイドガイドの移動追従性を向上させるようにした用紙収容カセットを提供する。【解決手段】用紙収容カセットでは、一対の延長サイドガイド３４，３５間に一対のメインサイドガイド３２，３３を挟むように配設するとともに、一対の延長サイドガイド３４、３５間を連結するラック＆ピニオン機構の第２の左右ガイド移動手段５０に、一対の延長サイドガイド３４，３５間の幅を常時狭めるように力を加える付勢手段６０を配設するようにした。【選択図】図７
2010159157.tif 000002
【特許請求の範囲】
【請求項１】
カセット本体と該カセット本体に対してスライド自在に延長可能な延長カセットとからなるカセットと、前記カセット本体に配設され、収容される用紙の幅方向へ移動自在な一対のメインサイドガイドと、前記延長カセットに配設され、収容される用紙の幅方向へ移動自在な一対の延長サイドガイドと、前記一対のメインサイドガイド間を、一方のメインサイドガイドの移動に追従して他方のメインサイドガイドを反対方向へ移動させるラック＆ピニオン機構の第１の左右ガイド移動手段を介して連結するとともに、前記一対の延長サイドガイド間を、一方の延長サイドガイドの移動に追従して他方の延長サイドガイドを反対方向へ移動させるラック＆ピニオン機構の第２の左右ガイド移動手段を介して連結し、前記カセット内に収容する用紙の用紙幅に対応して前記一対の各ガイド間の幅を調節するようにした用紙収容カセットにおいて、
前記一対の延長サイドガイド間に前記一対のメインサイドガイドを挟むように配設するとともに、前記一対の延長サイドガイド間を連結する前記ラック＆ピニオン機構の第２の左右ガイド移動手段に、前記一対の延長サイドガイド間の幅を常時狭めるように力を加える付勢手段を配設するようにしたことを特徴とする用紙収容カセット。
【請求項２】
前記付勢手段はコイルスプリングであることを特徴とする請求項１に記載の用紙収容カセット。
【請求項３】
前記第２の左右ガイド移動手段には、前記一対の延長サイドガイド間の中心位置を位置決める延長サイドガイド中央位置決め手段が配設されていることを特徴とする請求項１に記載の用紙収容カセット。
【請求項４】
前記第２の左右ガイド移動手段は、前記一対の延長サイドガイドに固定された一対のラックと、該一対のラックにそれぞれ噛み合うピニオンとからなり、また前記延長サイドガイド中央位置決め手段は、前記ピニオンを左右回転自在に取り付けるスライド板と、このスライド板を左右に所定距離移動させる操作レバーとからなることを特徴とする用紙収容カセット。
【請求項５】
前記一対の延長サイドガイトの先端には断面Ｒ形状の段差部が形成されていることを特徴とする請求項１に記載の用紙収容カセット。
【請求項６】
、前記一対のメインサイドガイドの上下面に断面コの字形状のガイド突起を形成し、該ガイド突起の隙間内に前記一対の延長サイドガイドをスライド自在に挿入するようにしたことを特徴とする請求項１に記載の用紙収容カセット。
【発明の詳細な説明】
【技術分野】
【０００１】
この発明は、プリンタ、ファクシミリ装置、あるいは複写機等の画像形成装置に使用され、用紙を供給するための用紙収容カセットに関し、特に用紙としてカット紙を多数枚積載して収容する用紙収容カセットに関する。
【背景技術】
【０００２】
プリンタ、あるいは複写機等の画像形成装置では、従来から用紙としてカット紙を多数枚積載して収容する用紙収容カセットが使用されている。
【０００３】
このカット紙には、長さ及びその幅が異なった各種のサイズがあり、これらの各種サイズのカット紙をそのサイズに対応して一つのカセット内に積載収容できるようにするため、例えば特開２００１-２２５９６４号に開示されているような用紙収容カセット（以下単にカセットと言う）が提供されている。
【０００４】
この特開２００１-２２５９６４号に記載されたものでは、図９の概念斜視図で示すように、カセット１を、その長さ方向に沿ってカセット本体２とスライド自在に延長可能な延長カセット３とに二分割し、積載収容する用紙の長さ方向のサイズ変更に対しては、延長カセット３を矢印のように前後方向に沿ってスライドさせて位置決めし、また用紙サイズの幅方向の変更に対しては、カセット１内に配設され、用紙の幅方向のサイズを規定する一対の用紙ガイド４、５間の幅を矢印のようにスライド変更させて各種サイズの用紙に対応するようにしていた。
【０００５】
なお、この一対の用紙ガイド４、５は、カセット本体２の底面２ａに配設された一対のメインサイドガイド６、７と、このメインサイドガイド６，７に形成された溝６ａ、７ａ内にスライド自在に挿入して連結される一対の延長サイドガイド８，９とから構成されている。
【０００６】
また、一対の用紙ガイド４、５は、いずれか一方の用紙ガイドを幅方向に移動すると、この一方の用紙ガイドの移動に追従し、他方の用紙ガイドを一方の用紙ガイドとは反対の方向へ同一距離だけ移動させる左右ガイド移動手段１０、１１を介して連結されている。
【０００７】
なお、この左右ガイド移動手段１０、１１のうち、一方の左右ガイド移動手段１０は、一対のメインサイドガイド６、７に連結した一対のラック１２，１３と、この一対のラック１２，１３にそれぞれ噛み合い、軸１４を中心に正逆方向へ回転自在なピニオン１５とからなるラック＆ピニオン機構により構成されている。
【０００８】
また他方の左右ガイド移動手段１１も、一対の延長サイドガイド８、９に連結した一対のラック２０，２１と、この一対のラック２０，２１にそれぞれ噛み合い、軸２２を中心に正逆方向へ回転自在なピニオン２３とからなるラック＆ピニオン機構により構成されている。
【０００９】
なお、図１０は、一方のメインサイドガイド７と、このメインガイド７に形成された溝７ａ内にスライド自在に入る延長サイドガイド９の詳細を示す図９の要部拡大斜視図である。
【００１０】
上述した図１０に示す従来のカセット１では、積載収容するカット用紙の用紙幅に応じて一対の用紙ガイド４、５間の幅を調節する場合、例えば一方の用紙ガイド４のメインサイドガイド６を幅方向にスライドして移動させる。
【００１１】
するとこのメインサイドガイド６に連結した延長サイドガイド８が同様に幅方向にスライドして移動するとともに、左右ガイド移動手段１０、１１を介して、他方のメインサイドガイド７と、このメインサイドガイド７に連結した延長サイドガイド９が、メインサイドガイド６の移動方向とは逆方向へ同一距離移動し、これにより予定した幅のカット紙をカセット１内に積載収容するようにしている。
【先行技術文献】
【特許文献】
【００１２】
【特許文献１】特開２００１−２２５９６４号
【発明の概要】
【発明が解決しようとする課題】
【００１３】
ところで、上述した図１０に示す従来のカセット１では、一対のメインサイドガイド６、７の溝６ａ、７ａ内に単に一対の延長サイドガイド８，９をスライド自在に挿入して互いに連結する構造であるため、当該溝６ａ、７ａ内でガタが発生し易く、このため一対のメインサイドガイド６、７と一対の延長サイドガイド８，９との密着性が劣って、その間に隙間が発生し易い構造であり、また左右ガイド移動手段１０、１１がラック＆ピニオン機構の動力伝達機構により構成されているから、これを操作して動かす操作加重も重くなる難点があった。
【００１４】
このため、図１０に示す従来のカセット１では、上述した各要因によって、一対の用紙ガイド４、５間の幅を調節する際に、一方のメインサイドガイド６を幅方向に移動させると、特に延長サイドガイド８，９の移動追従性が低下し、このため例えば一対の延長サイドガイド８，９間が予定の幅に至らず、あるいは斜めに位置決めされて、予定したサイズの幅のカット紙をカセット内に積載収容することが出来なくなる虞があった。
【００１５】
この発明は、上述した事情に鑑み、一方のメインサイドガイドを幅方向に移動させた際に、一対の延長サイドガイドの移動追従性を向上させるようにした用紙収容カセットを提供することを目的とする。
【課題を解決するための手段】
【００１６】
上述した課題を解決するため、請求項１に記載した発明は、カセット本体と該カセット本体に対してスライド自在に延長可能な延長カセットとからなるカセットと、前記カセット本体に配設され、収容される用紙の幅方向へ移動自在な一対のメインサイドガイドと、前記延長カセットに配設され、収容される用紙の幅方向へ移動自在な一対の延長サイドガイドと、前記一対のメインサイドガイド間を、一方のメインサイドガイドの移動に追従して他方のメインサイドガイドを反対方向へ移動させるラック＆ピニオン機構の第１の左右ガイド移動手段を介して連結するとともに、前記一対の延長サイドガイド間を、一方の延長サイドガイドの移動に追従して他方の延長サイドガイドを反対方向へ移動させるラック＆ピニオン機構の第２の左右ガイド移動手段を介して連結し、前記カセット内に収容する用紙の用紙幅に対応して前記一対の各ガイド間の幅を調節するようにした用紙収容カセットにおいて、前記一対のメインサイドガイドを、前記一対の延長サイドガイド間に挟むように配設するとともに、前記一対の延長サイドガイド間を連結する前記ラック＆ピニオン機構の第２の左右ガイド移動手段に、前記一対の延長サイドガイド間の幅を常時狭めるように力を加える付勢手段を配設することを特徴としている。
【００１７】
また請求項２の発明は、請求項１において、前記付勢手段はコイルスプリングであることを特徴としている。
【００１８】
また請求項３の発明は、請求項１において、前記第２の左右ガイド移動手段には、前記一対の延長サイドガイド間の中心位置を位置決める延長サイドガイド中央位置決め手段が配設されていることを特徴としている。
【００１９】
また請求項４の発明は、請求項３において、前記第２の左右ガイド移動手段は、前記一対の延長サイドガイドに固定された一対のラックと、該一対のラックにそれぞれ噛み合うピニオンとからなり、また前記延長サイドガイド中央位置決め手段は、前記ピニオンを左右回転自在に取り付けるスライド板と、このスライド板を左右に所定距離移動させる操作レバーとからなることを特徴としている。
【００２０】
また請求項５の発明は、請求項１において、前記一対の延長サイドガイトの先端には断面Ｒ形状の段差部が形成されていることを特徴としている。
【００２１】
また請求項６の発明は、請求項１において、前記一対のメインサイドガイドの上下面に断面コの字形状のガイド突起を形成し、該ガイド突起の隙間内に前記一対の延長サイドガイドをスライド自在に挿入するようにしたことを特徴としている。
【発明の効果】
【００２２】
請求項１の発明によると、一対の延長サイドガイドを連結するラック＆ピニオン機構の第２の左右ガイド移動手段に、前記一対の延長サイドガイド間の幅を常時狭めるように力を加える付勢手段を配設するようにしているから、一対の延長サイドガイドが常時の一対のメインサイドガイドと隙間なく接触するとともに、ラック＆ピニオン機構の第２の左右ガイド移動手段に付勢手段により駆動力が常時作用するので、カセット内に収容する用紙の用紙幅に応じて前記一対の各ガイド間の幅を調節する際に、一方のメインサイドガイドを幅方向に移動させると、他のメインサイドガイド及び延長サイドガイドの移動追従性が向上し、これにより、一対の延長サイドガイドがスムーズに移動して、予定した幅の間隔に至り、このため収容すべきサイズの用紙をカセット内により一層確実に積載収容することが出来る。
【００２３】
また請求項２の発明によると、付勢手段がコイルスプリングであるので、構造が簡単で安価に提供することができる。
【００２４】
また請求項３の発明によると、第２の左右ガイド移動手段には、前記一対の延長サイドガイド間の中心位置を位置決める延長サイドガイド中央位置決め手段が配設されているから、一対の延長サイドガイドを一対のメインサイドガイドに対して並行にに揃え、これにより、カセット内の規定位置に用紙を配置して、カセット内に積載収容された用紙が当該カセット内から搬送される場合に発生するスキュー（斜行）を低減できる。
【００２５】
また請求項４の発明によると、第２の左右ガイド移動手段の構造およびその操作が簡単となる。
【００２６】
また請求項５の発明によると、一対の延長サイドガイトの先端には断面Ｒ形状の段差部が形成されているから、延長カセットを後方へ最大限スライドさせた際に、一対の延長サイドガイトがメインサイドガイドの後端にクリック感を持って接触し、これにより相互のガイド間の位置ずれを防止するとともに、断面Ｒ形状の段差部により延長カセットを前方へスライドさせた際に、一対のメインサイドガイドの後端が、この断面Ｒ形状の段差部をスムーズに超えて、一対のメインサイドガイドが一対の延長サイドガイト間に挟まれた状態で位置決めされる。
【００２７】
また請求項６の発明によると、一対のメインサイドガイドの上下面に断面コの字形状のガイド突起を形成し、該ガイド突起の隙間内に前記一対の延長サイドガイドをスライド自在に挿入するようにしたから、一対の延長サイドガイドと一対のメインサイドガイドとの密着性が一層良好に維持される。
【図面の簡単な説明】
【００２８】
【図１】図１は、本願発明に係る用紙収容カセットの概念斜視図。
【図２】図２は、カセット本体に対して延長カセットを伸ばした状態を示す概念斜視図。
【図３】図３は、図２の要部拡大平面図。
【図４】図４は、第２の左右ガイド移動手段を示す延長カセットの要部拡大斜視図。
【図５】図５は、第２の左右ガイド移動手段を示す延長カセットの背面図。
【図６】図６は、本願の用紙カセットの作用を示す延長カセットの背面図。
【図７】図７は、本願の用紙カセットの作用を示す延長カセットの背面図。
【図８】図８は、メインサイドガイドと延長サイドガイドの連結構造の他の実施例を示す用紙ガイドの要部破断面図。
【図９】図９は、従来の用紙カセットを示す概念斜視図。
【図１０】図１０は図９の要部拡大斜視図。
【発明を実施するための形態】
【００２９】
以下、この発明に係る用紙収容カセットの一実施例を詳述する。
【００３０】
図１は本願発明に係る用紙カセット２０の概念斜視図である。
【００３１】
本願発明に係る用紙カセット（以下単にカセットと言う）２０も、従来と同様に、カセット本体２１と、該カセット本体２１に対し、その長さ方向に沿ってスライド自在に配設された延長カセット２２とに二分割されている。
【００３２】
したがって、図２に示すように、カセット本体２１に対して延長カセット２２を後方へスライドさせると、カセット２０は積載収容する用紙の長さ方向のサイズの変更に対応して延長することが出来る。
【００３３】
また、図１に示すように、積載収容する用紙サイズの幅方向の変更に対してもも従来と同様に、用紙の幅方向のサイズを規定する一対の用紙ガイド３０、３１間の幅を変更させて各種サイズの用紙に対応することが出来る。
【００３４】
この図１に示す一対の用紙ガイド３０、３１は、カセット本体２１の底面２１ａの幅方向に沿って移動自在に配設された一対のメインサイドガイド３２、３３と、この一対のメインサイドガイド３２、３３を外側から挟むように配設された一対の延長サイドガイド３４、３５とから構成されている。なお、この一対の延長サイドガイド３４、３５は延長カセット２２の底面２２ａの幅方向に沿って移動自在に配設されている。
【００３５】
なお、図１に示すように、一対の延長サイドガイト３４，３５の先端には断面Ｒ形状の段差部３４ａ、３５ａがそれぞれ形成されており、この各段差部３４ａ、３５ａは、図２および図２の要部拡大図で示す図３のように、延長カセット２２を後方へ最大限スライドさせた際に、メインサイドガイド３２，３３の後端にクリック感を持って接触し、これにより相互のガイド間の位置ずれを防止するとともに、断面Ｒ形状の段差部３４ａ、３５ａにより延長カセット２２を前方へスライドさせた際に、メインサイドガイド３２，３３の後端が、この断面Ｒ形状の段差部３４ａ、３５ａをスムーズに超えて、メインサイドガイド３２，３３が一対の延長サイドガイト３４，３５間に接触状態を維持しつつ挟まれた状態で位置決めされることとなる。
【００３６】
一方、上述した一対のメインサイドガイド３２、３３間と一対の延長サイドガイド３４、３５間は、従来と同様に、一方の用紙ガイドを幅方向に移動すると、この一方の用紙ガイドの移動に追従し、他方の用紙ガイドを一方の用紙ガイドとは反対の方向へ同一距離だけ移動させるラック＆ピニオン機構の左右ガイド移動手段を介して互いに連結されている。
【００３７】
このうち、図１に示すように、一対のメインサイドガイド３２、３３間を連結する従来と同様の構造であるラック＆ピニオン機構からなる第１の左右ガイド移動手段４０は、カセット本体２１を構成する底面２１ａの下面に配設されている。
【００３８】
また、延長カセット２２の要部破断斜視図で示す図４のように、一対の延長サイドガイド３４、３５間を連結するラック＆ピニオン機構の第２の左右ガイド移動手段５０は、延長カセット２２の背面壁２２ｂ内に配設されている。
【００３９】
この第２の左右ガイド移動手段５０は、その正面図で示す図５のように、一対の延長サイドガイド３４，３５のうち一方の延長サイドガイド３４の後端に固定された板状の第１のラック５１と、他方の延長サイドガイド３５の後端に固定された板状の第２のラック５２と、各ラック５１，５２にそれぞれ噛み合うピニオン５３とからなるラック＆ピニオン機構により構成されている。
【００４０】
このうち、第１のラック５１には、その長手方向に沿ってガイド溝５１ａが形成され、このガイド溝５１ａ内には所定の間隔を設けて一対のネジ状のガイド突起５１ｂが挿入されている。
【００４１】
同様に、第２のラック５２にもガイド溝５２ａが形成され、このガイド溝５２ａに内にも所定の間隔を設けて一対のネジ状のガイド突起５２ｂが挿入されている。
【００４２】
また、この第２のラック５２の先端５２ｃには、付勢手段であるコイルスプリング６０の一端が係合し、またこのコイルスプリング６０の他端は背面壁２２ｂに設けられたピン６１に係合している。
【００４３】
したがって、このようなコイルスプリング６０によると、第２のラック５２には、コイルスプリング６０による矢印Ａ方向の力、言い換えれば一対の延長サイドガイド３４、３５間の幅を常時狭めようとする第２の左右ガイド移動手段５０の駆動力が常時作用している。
【００４４】
なお、上述した付勢手段は、コイルスプリング６０の他に、引長ゴム、あるいはイタバネ等の他の弾性体に置き換えてもよいことは勿論である。
【００４５】
一方、ピニオン５３は、一対の延長サイドガイド３４、３５間の中心位置を位置決める延長サイドガイド中央位置決め手段７０に取り付けられている。
【００４６】
この延長サイドガイド中央位置決め手段７０は、前記ピニオン５３を左右回転自在に取り付けるスライド板７１と、このスライド板７１を左右に所定距離移動させる操作レバー７２とから構成されている。
【００４７】
このうち、スライド板７１は、背面壁２２ａに設けられた一対のガイド突起７３に挿入する一対のガイド溝７４により左右にスライド自在に取り付けられており、また操作レバー７２は、背面壁２２ｂに設けられた軸２２ｃに左右回転自在に支承され、その先端に形成されたガイド溝７２ａには、スライド板７１に設けられた突起７５が挿入している。
【００４８】
このような構造の延長サイドガイド中央位置決め手段７０を操作するには、まず、スライド板７１のロックネジ７６を緩めることにより当該スライド板７１の左右への移動を許容する状態にし、次に操作レバー７２を矢印のように軸２２ｃを中心に例えば時計方向に回転させると、この操作レバー７２により、スライド板７２は矢印のように図面右方向へ移動し、一対の延長サイドガイド３４、３５間の中心を右に移動させることが出来る。同様に操作レバー７２を矢印のように軸２２ｃを中心に例えば反時計方向に回転させると、この操作レバー７２により、スライド板７２は矢印のように図面左方向へ移動し、一対の延長サイドガイド３４、３５間の中心を左に移動させることが出来る。
【００４９】
そして、このような操作レバー７２による操作が終了した後、ロックネジ７６を締め付けてスライド板７１の移動を阻止し、一対の延長サイドガイド３４、３５間の中心が動かないようにする。
【００５０】
したがって、上述した延長サイドガイド中央位置決め手段７０によると、一対の延長サイドガイド３４、３５間の中心位置を調整することにより、当該一対の延長サイドガイド３４、３５を一対のメインサイドガイド３２、３３に対して並行にに揃え、これにより、カセット本体２１内の規定位置に用紙を配置して、カセット２０内に積載収容された用紙が当該カセット２０内から搬送される場合に発生するスキュー（斜行）を低減できることとなる。
【００５１】
なお、図１で符号８０は、カセット２０内に収容された用紙を下面から支えて一枚ずつ捌く捌きローラ、符合８１は、延長カセット２２に配設されたエンドガイドで、このエンドガイド８１は、延長カセット２２内に収容された用紙の後端を揃えて位置決めするものである。
【００５２】
次に、上述した本願発明に係るカセット２０の作用を説明する。
【００５３】
各種サイズの用紙から、使用する用紙の幅に応じて図１に示す一対の用紙ガイド３０、３１間の幅を変更させる場合を、一対の用紙ガイド３０、３１間の幅を広げる場合と、これとは反対に一対の用紙ガイド３０、３１間の幅を狭める場合とについてそれぞれ詳述する。
【００５４】
まず、一対の用紙ガイド３０、３１間の幅を広げる場合について詳述する。
【００５５】
一対の用紙ガイド３０、３１間の幅を広げる場合は、オペレータが図１に示す一対のメインサイドガイド３２、３３のうち、例えば一方のメインサイドガイド３２を図面左方向へスライドさせる。
【００５６】
すると、一対のメインサイドガイド３２、３３間を連結する第１の左右ガイド移動手段４０により、他方のメインサイドガイド３３が一方のメインサイドガイド３２とは反対の図面右方向へ同一距離スライド移動する。
【００５７】
一方、延長カセット２２の要部破断斜視図で示す図６のように、オペレータの操作により一対のメインサイドガイド３２、３３が、矢印Ｂ，Ｃで示すように、その間の幅を広げるように移動すると、一対のメインサイドガイド３２、３３を挟む一対の延長サイドガイド３４、３５間も、一対のメインサイドガイド３２、３３と同様にその間の幅を広げるようにスライド移動するが、その際、一対の延長サイドガイド３４、３５間を連結する第２の左右ガイド移動手段５０の第２のラック５２には、コイルスプリング６０による矢印Ａ方向の力、言い換えれば一対の延長サイドガイド３４、３５間の幅を常時狭めようとする第２の左右ガイド移動手段５０の駆動力Ｆが常時作用しているので、この駆動力Ｆに抗して、オペレータが一対のメインサイドガイド３２、３３間を矢印Ｂ，Ｃで示すように広げると、一対の延長サイドガイド３４、３５は対応する一対のメインサイドガイド３２、３３に密着したまま追従して移動し、その間の幅を広げることとなる。
【００５８】
したがって、このため一対のメインサイドガイド３２、３３間を広げる場合に、当該一対のメインサイドガイド３２、３３と一対の延長サイドガイド３４、３５との密着性及び追従性が向上し、その間に隙間が発生することはない。
【００５９】
次に、一対の用紙ガイド３０、３１間の幅を狭める場合について詳述する。
【００６０】
一対の用紙ガイド３０、３１間の幅を狭める場合は、図２に示すように、オペレータが一対のメインサイドガイド３２、３３のうち、例えば一方のメインサイドガイド３２を図面右方向へスライドさせる。
【００６１】
すると、一対のメインサイドガイド３２、３３間を連結する第１の左右ガイド移動手段４０により、他方のメインサイドガイド３３が一方のメインサイドガイド３２とは反対の左方向へ同一距離スライド移動する。
【００６２】
一方、延長カセット２２の要部破断斜視図で示す図７のように、オペレータの操作により一対のメインサイドガイド３２、３３が、矢印Ｄ，Ｅで示すように、その間の幅を狭めるように移動すると、一対のメインサイドガイド３２、３３を挟むように配設された一対の延長サイドガイド３４、３５は、通常であれば、その位置に停止したままであるが、一対の延長サイドガイド３４、３５間を連結する第２の左右ガイド移動手段５０の第２のラック５２には、付勢手段であるコイルスプリング６０による矢印Ａ方向の力、言い換えれば一対の延長サイドガイド３４、３５間の幅を常時狭めようとする第２の左右ガイド移動手段５０の駆動力Ｆが常時作用しているので、オペレータが一対のメインサイドガイド３２、３３間を矢印Ｄ，Ｅで示すように狭めると、一対の延長サイドガイド３４、３５は駆動力Ｆにより、対応する一対のメインサイドガイド３２、３３に密着したまま追従して移動し、その間の幅を狭めることとなる。
【００６３】
このため一対のメインサイドガイド３２、３３間の幅を狭める場合であっても、一対のメインサイドガイド３２、３３と一対の延長サイドガイド３４、３５との密着性が維持され、このため一対のメインサイドガイド３２、３３の移動に追従して一対の延長サイドガイド３４、３５はその幅を狭めるように移動する。
【００６４】
したがって、上述した用紙カセット２０によると、一対の延長サイドガイド３４、３５を連結するラック＆ピニオン機構の第２の左右ガイド移動手段５０に、前記一対の延長サイドガイド３４、３５間の幅を常時狭めるように力を加える付勢手段であるスプリング６０を配設するようにしているから、一対の延長サイドガイド３４、３５が常時一対のメインサイドガイド３２、３３と隙間なく接触する状態が維持され、このためカセット２０内に収容する用紙の用紙幅に応じて前記一対の各ガイド３０，３１間の幅を調節する際に、一方のメインサイドガイド３２、３３を幅方向に移動させると、メインサイドガイドに対する延長サイドガイド４、３５の移動追従性が向上し、これにより、一対の延長サイドガイド４、３５が一対のメインサイドガイド３２、３３の移動に追従して、予定した幅の間隔にスムーズに移動するので、このため収容すべきサイズのカット紙をカセット２０内により一層確実に積載収容することが出来ることとなる。
【００６５】
なお、上記実施例では、図５で示すように、第２のラック５２の先端５２ｃと背面壁２２ｂとの間に付勢手段であるコイルスプリング６０を配設するようにしたが、この発明は上記実施例に限定されることなく、第１のラック５１の先端と背面壁２２ｂとの間に付勢手段であるコイルスプリング６０を配設するようにしてもよい。
【００６６】
また、上記実施例では、図１に示すように、一対の延長サイドガイド３４、３５が一対のメインサイドガイド３２、３３を、単に挟んで接触させるように配設したが、この発明は上記実施例に限定されることなく、例えば図１と同一部分を同一符号で示す図８のように、一対のメインサイドガイド３２、３３の上下面に断面コの字形状のガイド突起８０，８１を形成し、このガイド突起８０，８１の隙間内に一対の延長サイドガイド３４、３５をスライド自在に挿入し、これにより一対の延長サイドガイド３４、３５間に一対のメインサイドガイド３２、３３を挟むように配設してもよい。
【００６７】
このように、一対のメインサイドガイド３２、３３のガイド突起８０，８１の隙間内に一対の延長サイドガイド３４、３５をスライド自在に挿入すると、一対の延長サイドガイド３４、３５と一対のメインサイドガイド３２、３３との接触、即ち密着性がより一層良好に維持される。
【産業上の利用可能性】
【００６８】
この発明は、一方のメインサイドガイドを幅方向に移動させた際に、一対の延長サイドガイドの移動追従性を向上させるようにした用紙収容カセットに適している。
【符号の説明】
【００６９】
２０  カセット
２１  カセット本体
２２  延長カセット
３２，３３  メインサイドガイド
３３，３４  延長サイドガイド
３４ａ、３５ａ  段差部
４０  第１の左右ガイド移動手段
５０  第２の左右ガイド移動手段
５１、５２  ラック
５３  ピニオン
６０  付勢手段（コイルスプリング）
７０  延長サイドガイド中央位置決め手段
７１  スライド板
７２  操作レバー
８０、８１  ガイド突起
【図１】
2010159157.tif 000003
【図２】
2010159157.tif 000004
【図３】
2010159157.tif 000005
【図４】
2010159157.tif 000006
【図５】
2010159157.tif 000007
【図６】
2010159157.tif 000008
【図７】
2010159157.tif 000009
【図８】
2010159157.tif 000010
【図９】
2010159157.tif 000011
【図１０】
2010159157.tif 000012